(57)【要約】【課題】首などに巻き付けて使用可能であり、身体を冷やしたり温めたりする機能と装飾する機能の両方を兼ね備えた部材収容アクセサリを提供する。【解決手段】首飾り連結具１２，１３に首飾り２０のカニカンを連結すると、帯状体１０と首飾り２０の両端同士がつながって、全体が１つの環状アクセサリとなる。この環状アクセサリを、帯状体１０が首の後ろ側にあたるようにして装着すると、首飾り連結具１２，１３に連結された首飾り２０の重みによって帯状体１０が首の後ろ側と適度に密着し、帯状体１０の冷熱を首へ効果的に伝えることができる。また、首の前側に首飾り２０が表れるため、一般的な首飾りと変わらない装飾効果を得ることができる。【選択図】図１
0003179153.tif 000002
【実用新案登録請求の範囲】
【請求項１】
保冷材又は発熱材を収容可能な袋を備えた帯状体と、
前記帯状体の両端に設けられた首飾り連結具と
を有する部材収容アクセサリ。
【請求項２】
前記首飾り連結具は、前記帯状体の両端に固定され、首飾りを着脱可能に連結する部材を含む、
請求項１に記載の部材収容アクセサリ。
【請求項３】
前記帯状体は、前記袋の中に前記保冷材又は発熱材を入れるためのスリットを有する、
請求項１又は２に記載の部材収容アクセサリ。
【請求項４】
前記スリットは、前記帯状体の一方の端部に前記帯状体の長手方向と略垂直な方向に延びて形成される、
請求項３に記載の部材収容アクセサリ。
【請求項５】
前記帯状体の表面を形成するカバー部材の一部が、前記スリットにおいて他のカバー部材の一部と重なり合っている、
請求項３又は４に記載の部材収容アクセサリ。
【考案の詳細な説明】
【技術分野】
【０００１】
本考案は、保冷材又は発熱材を収容可能なアクセサリに関するものである。
【背景技術】
【０００２】
熱い夏を快適に過ごすための保冷グッズとして、人体の各部にあてがうことが可能な布製の保冷材収容袋が市販されている。首や頭部に巻き付けることが可能な帯状タイプの保冷グッズは、外出時にも使用可能である。
【考案の概要】
【考案が解決しようとする課題】
【０００３】
ところで、首などに巻き付けて使用する従来の保冷グッズは、外観において非常に目立つ位置に装着されるものでありながら、デザイン性・装飾性に乏しいものが多い。そのため、実用性の観点では優れているものの、おしゃれに気を使う人（特に女性）にはあまり好まれておらず、外出時に装着することが躊躇われていた。そのため、猛暑の中で外出する際などにおいて、おしゃれを損なうことなく気軽に装着可能な保冷グッズが要望されていた。
また、冬に使用される懐炉等にも同様な要望がある。
【０００４】
本考案はかかる事情に鑑みてなされたものであり、その目的は、首などに巻き付けて使用可能であり、身体を冷やす機能と装飾する機能の両方を兼ね備えた部材収容アクセサリを提供することにある。
また、その目的は、首などに巻き付けて使用可能であり、身体を温める機能と装飾する機能の両方を兼ね備えた発熱材収容アクセサリを提供することにある。
【課題を解決するための手段】
【０００５】
上述した従来技術の問題点を解決し、上述した目的を達成するために、本考案の部材収容アクセサリは、保冷材又は発熱材を収容可能な袋を備えた帯状体と、前記帯状体の両端に設けられた首飾り連結具とを有する。
【０００６】
好適に、前記首飾り連結具は、前記帯状体の両端に固定され、首飾りを着脱可能に連結する部材を含む。
【０００７】
好適に、前記帯状体は、前記袋の中に前記保冷材又は発熱材をを入れるためのスリットを有する。
【０００８】
好適に、前記スリットは、前記帯状体の一方の端部に前記帯状体の長手方向と略垂直な方向に延びて形成される。
【０００９】
好適に、前記帯状体の表面を形成するカバー部材の一部が、前記スリットにおいて他のカバー部材の一部と重なり合っている。
【考案の効果】
【００１０】
本考案によれば、身体を冷やす機能と装飾する機能の両方を兼ね備えた部材収容アクセサリを提供することができる。
本考案によれば、身体を温める機能と装飾する機能の両方を兼ね備えた部材収容アクセサリを提供することができる。
【図面の簡単な説明】
【００１１】
【図１】本考案の実施形態に係る部材収容アクセサリの一例を示す図である。
【図２】帯状体とその中に収容される保冷材を示す図である。
【図３】帯状体の中に保冷材を入れるためのスリットを示す図である。
【考案を実施するための形態】
【００１２】
以下、本考案の実施形態に係る部材収容アクセサリについて説明する。
図１〜図３は、本考案の実施形態に係る部材収容アクセサリの一例を示す図である。
図１〜図３に示す部材収容アクセサリは、保冷材３０を収容可能な袋を有する帯状体１０と、この帯状体１０の両端に設けられた首飾り連結具１２，１３を有する。帯状体１０は、例えば布やタオル生地などによって縫製された帯状の袋であり、冷蔵庫などで冷やした保冷材３０を袋の内側に収容することができる。帯状体１０の表面には、任意のデザインの柄が施されている。
【００１３】
帯状体１０の端部は、先端に向かうにつれて幅が狭くなっており、その先端に首飾り連結具１２，１３が固定されている。首飾り連結具１２，１３は、例えばプラスチックや金属などで形成された環状部材であり、帯状体１０の先細りした先端部に固定されている。
【００１４】
首飾り連結具１２，１３には、任意の首飾りを連結することができる。図１の例では、多数の装飾玉を連ねた首飾り２０が取り付けられる。首飾り２０は、一方の端部にカニカン２１を備え、他方の端部に環状部材２２を備えており、カニカン２１を環状部材２２につなげることで環状に閉じた状態となる。首飾り２０を首飾り連結具１２，１３に取り付ける場合は、まず、カニカン２１を環状部材２２から外した状態にして、首飾り２０を首飾り連結具１２，１３の環状部材の孔にそれぞれ挿通し、その後、カニカン２１を環状部材２２につなげて首飾り２０を環状に閉じた状態とする。
なお、連結具１２，１３は、首飾りを着脱自在に連結できる物であれば、環状部材以外に、フック状、あるいはブローチ状のもの等を用いてもよい。
【００１５】
首飾り２０を首飾り連結具１２，１３に連結すると、帯状体１０と首飾り２０がつながって、全体が１つの環状アクセサリとなる。この環状アクセサリを、帯状体１０が首の後ろ側にあたるようにして装着すると、首飾り連結具１２，１３に連結された首飾り２０の重みによって帯状体１０が首の後ろ側と適度に密着し、帯状体１０の冷熱を首へ効果的に伝えることができる。また、首の前側に首飾り２０が表れるため、一般的な首飾りと変わらない装飾効果を得ることができる。
【００１６】
帯状体１０には、袋の中に保冷材３０を入るためのスリット１１が形成される（図３）。スリット１１は、帯状体１０の一方の端部に形成されているため、帯状体１０の袋の中に保冷材３０を入れるときは、スリット１１の口を広げて保冷材３０の一端をその中に入れ、当該一端が袋の底に突き当るまで保冷材３０を押し込めばよい。従って、保冷材３０を袋の中へ容易に収容することができる。
【００１７】
また、スリット１１は、帯状体１０の長手方向とほぼ垂直な方向に延びている。これにより、帯状体１０の長手方向に向かってスリット１１の口を大きく広げることができるようになるため、保冷材３０の出し入れを更に容易にすることができる。
【００１８】
また、図１に示す部材収容アクセサリでは、帯状体１０の表面を形成するカバー部材（布，タオル生地など）の一部が、スリット１１において他のカバー部材の一部と重なり合っている。スリット１１にカバー部材の重なり合いを設けることによって、帯状体１０の袋の中に収容された保冷材３０がスリット１１を通して外観に表れ難くなるため、袋の中身が見えることによる装飾性の低下を防止できる。
【００１９】
以上説明したように、本実施形態に係る部材収容アクセサリによれば、保冷材３０を収容可能な袋を有する帯状体１０の両端に首飾り連結具１２，１３を設けたことにより、保冷材３０による身体の冷却機能と、首飾り連結具１２，１３に連結した首飾りによる装飾機能の両方を発揮することができる。そのため、おしゃれに気を使う人でも外出先で装着し易くなり、熱い夏を快適に過ごすことが可能になる。
【００２０】
また、本実施形態に係る部材収容アクセサリによれば、帯状体１０の両端に設けた首飾り連結具１２，１３において首飾りを着脱できるため、その日の服装などに合った首飾りを自由に取り付けることが可能となり、装飾性の自由度を高めることができる。加えて、帯状体１０から首飾りを外した状態で、帯状体１０単体をクリーニングすることもできる。
【００２１】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００２２】
例えば、上述した実施形態では、首飾り連結具１２，１３として環状部材を例に挙げているが、本考案はこれに限定されるものではなく、他の種々の構造の連結具を用いてもよい。首飾り連結具１２，１３同士を直接連結できるようにしてもよい。
【００２３】
また、帯状体１０の袋の内側には、保冷材３０から人体へ伝わる冷熱を和らげるための緩衝材を設けても良い。これにより、人体が冷え過ぎることを防止できる。
【００２４】
図１において示した帯状体１０の形状、大きさ、表面の柄などは一例であり、本考案はこの例に限定されない。
【００２５】
また、上述した実施形態では、スリット１１の口を広げて保冷材３０を入れる場合を例示したが、スリット１１の口を広げて懐炉等の発熱材を入れてもよい。これにより、冬など首回りを温めることができ、肩こり防止効果等が得られる。
【００２６】
また、スリット１１の口を広げて保冷材３０、発熱材の他に発香材を入れてもよい。
さらに、スリット１１は、帯状体１０の中央部等、その他の位置に形成されてもよい。また、スリット１１は、帯状体１０の長手方向に対して斜めに形成してもよい。帯状体１０の全体にわたって、長手方向と水平に数ヵ所のスリット１１を形成してもよい。
【産業上の利用可能性】
【００２７】
本考案は、人体を冷やしたり温めたりする目的で使用される保冷材や発熱材の収容袋に広く適用可能である。
【符号の説明】
【００２８】
１０…帯状体、１１…スリット、１２，１３…首飾り連結具、２０…首飾り、３０…保冷材。
【図１】
0003179153.tif 000003
【図２】
0003179153.tif 000004
【図３】
0003179153.tif 000005